【手続補正書】
【提出日】平成22年9月15日(2010.9.15)
【手続補正１】
【補正対象書類名】明細書
【補正対象項目名】００２０
【補正方法】変更
【補正の内容】
【００２０】
一実施形態では、フィードバック信号を受信したか否かを判定するステップは、充電回路内の電流を感知するステップと、感知した電流と所定のしきい値とを比較するステップを含む。
【手続補正２】
【補正対象書類名】明細書
【補正対象項目名】００２７
【補正方法】変更
【補正の内容】
【００２７】
これまで述べたように、充電回路６は、一般的に周波数制御器８０および１次コイル１５、フィードバック検出器８２を有する。本実施形態では、周波数制御器８０は、制御器２０および発振器１８、ドライバ１６、インバータ１０を有する。この実施形態では、これらの構成要素は、全体でタンク回路１２を駆動する。より具体的には、インバータ１０は、ＡＣ（交流電流）電力をＤＣ（直流電流）電源１４からタンク回路１２に供給する。タンク回路１２は、１次コイル１５を有する。タンク回路１２は、直列共振回路とすることも並列共振回路とすることもできる。この実施形態では、ドライバ１６は、インバータ１０内部のスイッチを動作するのに必要な信号を供給する。次いで、ドライバ１６は、発振器１８で設定した周波数で作動する。次いで、発振器１８は、制御器２０により制御される。制御器２０は、例えば、ＰＩＣ１８ＬＣ１３２０のようなマイクロコントローラとすることができ、あるいはより汎用的なマイクロプロセッサとすることができる。本実施形態では基本的に別の機器として示されているが、代替的にはドライバ１６、発振器１８、および制御器２０は、一体化することができ、制御器２０内部にモジュールとして実現することもできる。
【手続補正３】
【補正対象書類名】明細書
【補正対象項目名】００５４
【補正方法】変更
【補正の内容】
【００５４】
フィードバック信号が検出されている場合は、インバータ周波数は、再びΔFREQの値の２倍増加する（ステップ１２２）。そしてプロセスは継続する。一方、フィードバック信号が検出されない場合は、システムは待機して、その時点の周波数の電力を１次コイル１５に印加する（ステップ１３０）。ステップ１３０の長時間の充電遅延は、一般的にステップ１１２または１２６の遅延よりも非常に大きい。長時間の充電遅延によりかなりの量の電力が電池３４に供給されることになる。
【手続補正４】
【補正対象書類名】特許請求の範囲
【補正対象項目名】全文
【補正方法】変更
【補正の内容】
【特許請求の範囲】
【請求項１】
電源と、前記電源と電気的に接続した制御器と、前記制御器と電気的に接続した１次を有し、前記制御器は、ある周波数で前記電源から前記１次に電力を印加する、１次回路と、
前記１次と誘導的に結合した２次と、前記２次と電気的に接続したフィードバック回路と、前記２次と電気的に接続した電池を含む２次回路と、
を備え、
前記フィードバック回路は、前記誘導的な結合を介して前記１次にフィードバックし、
前記制御器は、前記フィードバック回路からの前記フィードバックに応じて、少なくとも部分的に前記１次に印加する前記電力の特性を制御する、
誘導充電システム。
【請求項２】
前記フィードバック回路は、前記２次回路の反射インピーダンスを変更するサブ回路を有する請求項１に記載の誘導充電システム。
【請求項３】
前記２次回路の反射インピーダンスにおける変化の検出に応じて検出信号を生成する、前記１次と電気的に接続したフィードバック検出器を有する請求項１に記載の誘導充電システム。
【請求項４】
前記フィードバック回路は、
スイッチを制御するために配置される過電圧検出器と過電流検出器とを含み、
過電圧状態または過電流状態に応じて前記スイッチを動作して、前記２次からの電流を抵抗素子を通して前記電池から分路する、
請求項１に記載の誘導充電システム。
【請求項５】
前記１次回路は、電流センサを含み、
前記抵抗素子を通して分路される前記電流に応じて、前記２次を流れる前記電流は増加して、前記２次回路の反射インピーダンスは変化して、前記１次を流れる電流は増加し、
前記電流センサは、前記１次回路内の前記増加した電流を検出する、
請求項４に記載の誘導充電システム。
【請求項６】
前記１次回路は、過電圧状態または過電流状態の検出に応じて検出信号を前記制御器に与えるピーク検出器を含む請求項１に記載の誘導充電システム。
【請求項７】
前記制御器は、前記１次に印加する前記電力の前記周波数を調整して前記過電圧状態または前記過電流状態を修正する請求項６に記載の誘導充電システム。
【請求項８】
前記制御器は、インバータを含み、
前記インバータの動作周波数は減少して、前記１次に印加する前記電力の前記周波数を前記１次の共振周波数の方へ移動し、
前記インバータの前記動作周波数は増加して、前記１次に印加する前記電力の前記周波数を前記１次の前記共振周波数から離すように移動する、
請求項１に記載の誘導充電システム。
【請求項９】
前記電力の前記特性は、周波数である請求項１に記載の誘導充電システム。
【請求項１０】
１次コイルを含む充電回路と、２次コイルと電池を含む２次回路とを有する誘導充電システムを充電プロファイルにしたがって動作する方法であって、
前記充電プロファイルにしたがって、過電圧状態および過電流状態を規定するステップと、
ある周波数で前記１次コイルに電力を印加するステップと、
対応する前記過電圧状態または前記過電流状態に応じて前記２次回路内にフィードバック信号を生成するステップと、
前記１次コイルと前記２次コイルとの誘導結合によって前記２次回路から供給される前記フィードバック信号を評価するステップと、
前記２次回路からの前記フィードバックに応じて前記１次コイルに印加する前記電力の前記周波数を調整するステップと、
を含む誘導充電システムを動作する方法。
【請求項１１】
前記充電回路は、共振周波数を有するタンク回路を含み、
前記調整するステップは、
前記１次コイルに印加する前記電力の前記周波数を前記タンク回路の前記共振周波数の方へ移動するステップと、
または前記１次コイルに印加する前記電力の前記周波数を前記タンク回路の前記共振周波数から離すように移動するステップと、
を含む請求項１０に記載の誘導充電システムを動作する方法。
【請求項１２】
前記評価するステップには、前記充電器回路からのフィードバック信号が前記充電器回路に受信されるか否かを判定するステップを含み、
前記調整するステップには、前記フィードバック信号の受信に応じて前記１次コイルに印加する前記電力の前記周波数を共振から離すように移動するステップと、所定の時間の後に前記フィードバック信号を受信しないことに応じて前記１次コイルに印加する前記電力の前記周波数を共振の方へ移動するステップと、
を含む請求項１０に記載の誘導充電システムを動作する方法。
【請求項１３】
前記調整するステップは、
フィードバック信号を受信するまで徐々に前記１次コイルに印加する前記電力の前記周波数を共振の方へ移動するステップと、
フィードバック信号に応じて、フィードバック信号を受信しなくなるまで徐々に前記１次に印加する前記電力の前記周波数を共振から離すように移動するステップと、
充電期間中に前記調整した周波数で電力を前記１次コイルに印加するステップと、
を含む請求項１０に記載の誘導充電システムを動作する方法。
【請求項１４】
前記評価するステップは、
前記充電回路内の電流を感知するステップと、
感知した前記電流と所定のしきい値とを比較するステップと、
を含む請求項１０に記載の誘導充電システムを動作する方法。
【請求項１５】
１サイクル以上の充電サイクル手段で前記電池を充電するステップと、
１つの充電サイクルが終了する時間が最小充電サイクル時間よりも短いときに前記充電サイクルを終了するステップと、
をさらに含む請求項１０に記載の誘導充電システムを動作する方法。
【請求項１６】
１サイクル以上の充電サイクル手段で前記電池を充電するステップと、
前記１次コイルに印加する前記電力の前記周波数が上限または下限を達したときに前記充電サイクルを終了するステップと、
をさらに含む請求項１０に記載の誘導充電システムを動作する方法。
【請求項１７】
前記評価するステップは、
所定のプローブ周波数で前記１次コイルに電力パルスを印加するステップと、
前記反射インピーダンスを感知するステップと、
前記感知した反射インピーダンスに応じて電池が存在しているか否かを判定するステップと、
を含む請求項１０に記載の誘導充電システムを動作する方法。
【請求項１８】
反射インピーダンスを有する２次回路を含むポータブル電子機器であって、
２次コイルと、
前記２次コイルと電気的に接続した電池と、
前記２次コイルと電気的に接続し、前記２次回路の前記反射インピーダンスを変化させて、過電圧状態または過電流状態に応じて前記２次コイル内にフィードバック信号を生成するフィードバック回路と、
を含むポータブル電子機器。
【請求項１９】
前記フィードバック回路は、スイッチを制御するために配置される過電圧検出器および過電流検出器を含み、
前記過電圧状態または前記過電流状態に応じて前記スイッチは、作動し、前記２次コイルからの電流は、抵抗素子を通して前記電池から分路される、
請求項１８に記載のポータブル電子機器。
【請求項２０】
前記過電圧状態および前記過電流状態は、前記電池の充電プロファイルにしたがって規定される請求項１８に記載のポータブル電子機器。